(57)【特許請求の範囲】
【請求項１】
スリーブと弾性体と凹所付ワッシャと可動支持体とを備えている回転軸であって、
前記スリーブが、リップとシリンダとを備えており、
前記弾性体と前記凹所付ワッシャと前記可動支持体とが順に、前記リップが前記弾性体に隣接している状態で、前記リップから前記シリンダの軸線方向に沿って前記シリンダの周囲に配設されており、
複数の凹所が、前記凹所付ワッシャの一方の端面に円状に分布された状態で配設されており、前記凹所が配設されている前記凹所付ワッシャの前記一方の端面が、前記可動支持体の一方の端面に接触しており、複数の突起が、前記凹所と嵌合するように、前記可動支持体の前記一方の端面に配設されており、
前記回転軸が、ストップリングをさらに備えており、
前記ストップリングが、前記軸線方向に沿って前記可動支持体の後方において、前記シリンダの周囲に配設されており、止め溝が、前記ストップリングに配設されており、
位置決めロッドが、前記可動支持体の一方の端面に配設されており、前記位置決めロッドが配置されている前記可動支持体の前記一方の端面が、前記ストップリングに接触しており、
前記止め溝が、前記可動支持体の前記位置決めロッドの移動を所定の角度範囲に制限することを特徴とする回転軸。
【請求項２】
前記回転軸が、位置決め支持体をさらに備えており、
前記位置決め支持体が、前記軸線方向に沿って前記ストップリングの後方において、前記シリンダの周囲に配設されていることを特徴とする請求項１に記載の回転軸。
【請求項３】
少なくとも１つの位置決め穴が、前記位置決め支持体に配設されていることを特徴とする請求項２に記載の回転軸。
【請求項４】
前記回転軸が、ロックワッシャをさらに備えており、
前記ロックワッシャが、前記軸線方向に沿って前記位置決め支持体の後方において、前記シリンダの周囲に配設されていることを特徴とする請求項２に記載の回転軸。
【請求項５】
前記弾性体と前記凹所付ワッシャと前記可動支持体とが、前記シリンダと隙間嵌めされた状態で前記シリンダの周囲に配設されており、
前記ストップリングと前記位置決め支持体と前記ロックワッシャとが、前記シリンダと締り嵌めされた状態で前記シリンダの周囲に配設されていることを特徴とする請求項４に記載の回転軸。
【請求項６】
複数の位置決め面が、前記シリンダの外面に配置されており、
位置決め面が、前記凹所付ワッシャ、前記ストップリング、前記位置決め支持体、及び前記ロックワッシャの複数の内面に配設されており、
前記内面が、前記シリンダの前記位置決め面に接触していることを特徴とする請求項５に記載の回転軸。
【請求項７】
前記弾性体が、初期状態において圧縮されていることを特徴とする請求項１〜６のいずれか一項に記載の回転軸。
【請求項８】
貫通孔が、前記シリンダの中心に配設されていることを特徴とする請求項１〜６のいずれか一項に記載の回転軸。
【請求項９】
少なくとも１つの位置決め穴が、前記可動支持体に配設されていることを特徴とする請求項１〜６のいずれか一項に記載の回転軸。
【請求項１０】
ＵＳＢプラグと回転構造体とデバイス本体とを備えているユニバーサルシリアルバス（ＵＳＢ）デバイスであって、
前記ＵＳＢプラグが、前記回転構造体に固定された状態で接続されており、前記回転構造体が、回転ユニットを備えており、前記回転構造体と前記デバイス本体とが、前記回転ユニットを介して接続されており、前記回転構造体が、前記デバイス本体の側面において前記回転ユニットを介して回転するように構成されており、
前記回転ユニットが、スリーブと弾性体と凹所付ワッシャと可動支持体とを備えている回転軸であり、前記スリーブが、リップとシリンダとを備えており、前記弾性体と前記凹所付ワッシャと前記可動支持体とが順に、前記リップから前記シリンダの軸線方向に沿って前記リップから前記シリンダの周囲に配設されており、複数の凹所が、前記凹所付ワッシャの一方の端面に円状に分布された状態で配設されており、前記凹所が配設されている前記凹所付ワッシャの前記一方の端面が、前記可動支持体の一方の端面に接触しており、複数の突起が、前記凹所と嵌合するように、前記可動支持体の前記一方の端面に配設されており、
前記回転軸が、ストップリングをさらに備えており、
前記ストップリングが、前記軸線方向に沿って前記可動支持体の後方において、前記シリンダの周囲に配設されており、止め溝が、前記ストップリングに配設されており、
位置決めロッドが、前記可動支持体の前記一方の端面に配設されており、前記位置決めロッドが配置されている前記可動支持体の前記一方の端面が、前記ストップリングに接触しており、
前記止め溝が、前記可動支持体の前記位置決めロッドの移動を所定の角度範囲に制限することを特徴とするＵＳＢデバイス。
【請求項１１】
保持溝が、前記デバイス本体に配設されており、前記ＵＳＢプラグと前記回転構造体とが、回転することによって前記保持溝内に保持され、前記デバイス本体と一体化されることを特徴とする請求項１０に記載のＵＳＢデバイス。
【発明の詳細な説明】
【技術分野】
【０００１】
本願は２００９年１１月５日に中国特許庁に出願された「Rotation Axis, Digital Device and USB Device」という名称の中国特許出願第２００９２０１７４４３１．４号の優先権を主張し、その全体を参照によって本願に援用する。
【０００２】
本発明は通信技術に関し、より詳細には回転軸及びデジタルデバイスに関する。
【背景技術】
【０００３】
通信技術が発展を続けるとともに、ユニバーサルシリアルバス（ＵＳＢ）デバイス（登録商標）、データカード、及び携帯電話などのデジタルデバイスのサイズは小型化されている。したがって、デジタルデバイス部品の要件が高くなっている。
【０００４】
現在、デジタルデバイスの可撓性及び使用しやすさを高めるために、回転軸として知られる構成部品がほぼ全てのデジタルデバイスで使用されている。最も多く使用されている回転軸は、金属回転軸である。
【発明の概要】
【発明が解決しようとする課題】
【０００５】
本発明の実施に際し、発明者は、上記の従来技術には少なくとも以下の欠点があると考える。
既存の金属回転軸の構造は複雑であり、サイズが大きく、コストが高い。
【課題を解決するための手段】
【０００６】
回転軸の構造を単純化し、サイズを小型化し、コストを低減するために、本発明の実施形態は、回転軸、デジタルデバイス及びＵＳＢデバイスを提供する。この技術的解決策は以下の通りである。
回転軸は、スリーブ、弾性体、凹所付ワッシャ、及び可動支持体を含み、
スリーブはリップ及びシリンダを含み、
弾性体、凹所付ワッシャ、及び可動支持体はリップから始まるシリンダの軸線方向に沿ってシリンダの周囲に順に配設され、リップが弾性体に隣接しており、かつ
多数の凹所が凹所付ワッシャの一方の端面に配設され、円状に分布され、凹所が配設された凹所付ワッシャの端面は、可動支持体の一方の端面に接触しており、可動支持体の端面には、多数の突起が凹所と嵌合するように配設されている。
【０００７】
デジタルデバイスは回転軸を含む。
【０００８】
ユニバーサルシリアルバス（ＵＳＢ）デバイスはＵＳＢプラグ、回転構造体、及びデバイス本体を含み、
ＵＳＢプラグは回転構造体に固定的に接続されており、回転構造体は回転ユニットを含み、回転構造体及びデバイス本体は回転ユニットを介して接続されており、回転構造体は、回転ユニットを通してデバイス本体の側で回転する。
【０００９】
この技術的解決策は、以下の利点を提供する。
回転軸は、スリーブ、弾性体、凹所付ワッシャ、及び可動部を含むいくつかの部品によって構成される。したがって、回転軸は単純な構造、小型サイズ、低コスト、及び高い信頼性という特徴を有する。
【図面の簡単な説明】
【００１０】
【図１】本発明の第１の実施形態によって提供される回転軸の部品の配置を示す概略図である。
【図２】本発明の第１の実施形態によって提供される回転軸の部品の配置を示す別の概略図である。
【図３】本発明の第２の実施形態によって提供される回転軸の部品の配置を示す概略図である。
【図４】本発明の第２の実施形態によって提供される回転軸の部品の配置を示す別の概略図である。
【図５】本発明の第２の実施形態によって提供される回転軸の全体構造を示す図である。
【図６】本発明の第３の実施形態によって提供されるデータカードの全体構造を示す図である。
【図７】データカードの回転ＵＳＢヘッドが９０度回転している、本発明の第３の実施形態によって提供されるデータカードの構造を示す図である。
【図８】データカードの回転ＵＳＢヘッドが２７０度回転している、本発明の第３の実施形態によって提供されるデータカードの構造を示す図である。
【図９】本発明の第３の実施形態によって提供されるデータカードの内部構造を示す図である。
【図１０】本発明の第３の実施形態によって提供されるデータカードの別の内部構造を示す図である。
【図１１】本発明の第４の実施形態によって提供されるＵＳＢコネクタアダプタの全体構造を示す図である。
【図１２】本発明の第４の実施形態によって提供されるＵＳＢコネクタアダプタの内部構造を示す図である。
【図１３】本発明の第４の実施形態によって提供されるＵＳＢコネクタアダプタのアダプタヘッドＵＳＢ  Ａ部の構造を示す図である。
【図１４】本発明の第４の実施形態によって提供されるＵＳＢコネクタアダプタのアダプタヘッドＵＳＢ  Ｂ部の構造を示す図である。
【図１５】アダプタヘッドＵＳＢ  Ａ部が９０度回転している、本発明の第４の実施形態によって提供されるＵＳＢコネクタアダプタの構造を示す図である。
【図１６】本発明の第５の実施形態によって提供されるＵＳＢデバイスの構造を示す図である。
【発明を実施するための形態】
【００１１】
本発明の目的、技術的解決策及び利点をより良く説明するために、本発明の実施形態を、添付の図面を参照しながら詳細に説明する。
【００１２】
第１の実施形態
図１及び図２は、本発明の第１の実施形態によって提供される回転軸を示す。回転軸は、スリーブ１０１、弾性体１０２、凹所付ワッシャ１０３、及び可動支持体１０４を含む。
【００１３】
スリーブ１０１は、リップ１０１１及びシリンダ１０１２を含む。
【００１４】
弾性体１０２、凹所付ワッシャ１０３、及び可動支持体１０４は、リップ１０１１から始まるシリンダ１０１２の軸線方向に沿ってシリンダの周囲に順に配設され、リップが弾性体に隣接している。
【００１５】
多数の凹所１０３１が、凹所付ワッシャ１０３の一方の端面に配設され、円状に分布されている。凹所１０３１が配設された凹所付ワッシャ１０３の端面は、可動支持体１０４の一方の端面に接触する。可動支持体１０４のこの端面には、多数の突起１０４１が凹所１０３１と嵌合するように配設されている。
【００１６】
さらに、回転軸はストップリング１０５を含む。ストップリング１０５はシリンダ１０１２の周囲に配設され、軸線方向に沿って可動支持体１０４の後方に置かれている。ストップリング１０５には止め溝１０５１が配設されている。
【００１７】
したがって、位置決めロッド１０４３が、可動支持体１０４の一方の端面に配設されている。位置決めロッド１０４３が配設された可動支持体１０４の端面は、ストップリング１０５に接触する。
【００１８】
さらに、回転軸は、シリンダ１０１２の周囲に配置され、軸線方向に沿ってストップリング１０５の後方に置かれた位置決め支持体１０６を含む。
【００１９】
さらに、位置決め支持体１０６には、少なくとも１つの位置決め穴１０６１が配設されている。
【００２０】
さらに、回転軸は、シリンダ１０１２の周囲に配置され、軸線方向に沿って位置決め支持体１０６の後方に置かれたロックワッシャ１０７を含む。
【００２１】
さらに、弾性体１０２、凹所付ワッシャ１０３、及び可動支持体１０４は、シリンダ１０１２の周囲に隙間嵌めで配設されている。
【００２２】
ストップリング１０５、位置決め支持体１０６、及びロックワッシャ１０７は、シリンダ１０１２の周囲に締り嵌めで配設されている。
【００２３】
さらに、シリンダ１０１２の外面には、複数の位置決め面１０１２ｂが配設されている。
【００２４】
したがって、位置決め面は、シリンダ１０１２の複数の位置決め面１０１２ｂに接触する凹所付ワッシャ１０３、ストップリング１０５、位置決め支持体１０６、及びロックワッシャ１０７の内面にそれぞれ配設される。これらの位置決め面を、位置決め面１０３ａ、位置決め面１０５ａ、及び位置決め面１０７ａという。
【００２５】
さらに、弾性体１０２は初期圧縮されている。
【００２６】
さらに、シリンダ１０１２の中央には貫通孔１０１２ａが配設されている。
【００２７】
さらに、位置決め支持体１０４には少なくとも１つの位置決め穴１０４２が配設されている。
【００２８】
本発明の実施形態によって提供される回転軸は、ＵＳＢデバイス、データカード、及び携帯電話などのデジタルデバイスに適用可能である。
【００２９】
本発明の実施形態によって提供される回転軸は、スリーブ、弾性体、凹所付ワッシャ、及び可動支持体を含む部品を使用して実施される。これは単純な構造、小型サイズ、低コスト、及び高い信頼性という特徴を有する。回転軸の回転角度をそれぞれ実現するように、凹所、突起、及び弾性体の協調によって触感が生成される。さらに、ストップリングの止め溝の角度を設定することによって、回転軸に任意の回転角度範囲を実現することができる。さらに、弾性体の長さ及び弾性係数を調整することによって、又は凹所と突起の係合の深さを調節することによって、必要な最大トルクを得ることができる。
【００３０】
第２の実施形態
図３、図４、及び図５は、本発明の第２の実施形態によって提供される回転軸を示す。回転軸は、スリーブ２０１、弾性体２０２、凹所付ワッシャ２０３、可動支持体２０４、ストップリング２０５、位置決め支持体２０６、及びロックワッシャ２０７を含む。
【００３１】
スリーブ２０１は、リップ２０１１及びシリンダ２０１２を含む。シリンダ２０１２の中央には貫通孔２０１２ａを配設することができる。配線の場合は、ワイヤを貫通孔２０１２ａに簡便に通すことができる。
【００３２】
貫通孔２０１２ａの形状は、円形、四角形、又は菱形とすることができることに留意されたい。本発明の実施形態では、貫通孔２０１２ａは円状とされる。本発明の他の実施形態では、貫通孔２０１２ａは、他の形状とすることができる。貫通孔２０１２ａの形状は、本発明の実施形態によるものに限定されない。
【００３３】
弾性体２０２、凹所付ワッシャ２０３、可動支持体２０４、ストップリング２０５、位置決め支持体２０６及びロックワッシャ２０７は、リップ２０１１から始まるシリンダ２０１２の軸線方向に沿って、リップ２０１１からスリーブ２０１のシリンダ２０１２の周囲に順に配設されている。
【００３４】
弾性体２０２、凹所付ワッシャ２０３、可動支持体２０４、ストップリング２０５、位置決め支持体２０６及びロックワッシャ２０７を、所定の条件を満たすように、スリーブ２０１のシリンダ２０１２の周囲に配設するための適切な方法が使用される。特に、弾性体２０２及び凹所付ワッシャ２０３がスリーブ２０１のシリンダ２０１２の周囲に配設されるとき、配置方法は、弾性体２０２及び凹所付ワッシャ２０３がシリンダ２０１２の軸線方向に沿って動くことができるが、シリンダ２０１２の周囲を動かないようにしなければならない。可動支持体２０４がスリーブ２０１のシリンダ２０１２の周囲に配設されるとき、配置方法は、可動支持体２０４がシリンダ２０１２の周囲を動くことができるが、シリンダ２０１２の軸線方向に沿って動かないようにしなければならない。ストップリング２０５、位置決め支持体２０６、及びロックワッシャ２０７がスリーブ２０１のシリンダ２０１２の周囲に配設されるとき、配置方法は、ストップリング２０５、位置決め支持体２０６、及びロックワッシャ２０７がシリンダ２０１２の周囲及びシリンダ２０１２の軸線方向に沿って動かないようにしなければならない。
【００３５】
本発明の実施形態では、部品の配置は以下の通りである。凹所付ワッシャ２０３は、スリーブ２０１のシリンダ２０１２の周囲に隙間嵌めで配設され、スリーブ２０１のシリンダ２０１２の外面には、２つの位置決め面２０１２ｂ（本発明の実施形態では長手方向に対称）が配設されており、シリンダ２０１２の２つの位置決め面２０１２ｂに接触する凹所付ワッシャ２０３の２つの内面には、２つの位置決め面２０３ａが配設されており、凹所付ワッシャがシリンダ２０１２の軸線方向に沿って前後に動くことができるが、シリンダ２０１２の周囲を回転しないようになっている。弾性体２０２は、シリンダ２０１２の周囲に隙間嵌めで配設され、弾性体２０２の一方の端部がスリーブ２０１のリップ２０１１に固定され、弾性体２０２の他方の端部が凹所付ワッシャ２０３に固定されており、弾性体２０２が凹所付ワッシャ２０３とともにシリンダ２０１２の軸線方向に沿って前後に動くことができるが、シリンダ２０１２の周囲を回転しないようになっている。可動支持体２０４は、スリーブ２０１のシリンダ２０１２の周囲に隙間嵌めで配設され、可動支持体２０４がシリンダ２０１２の周囲を回転することができるが、シリンダ２０１２の軸線方向に沿って動かないようになっている。ストップリング２０５、位置決め支持体２０６及びロックワッシャ２０７は、スリーブ２０１のシリンダ２０１２に締り嵌めで固定され、シリンダ２０１２の２つの位置決め面２０１２ｂに接触するストップリング２０５、位置決め支持体２０６及びロックワッシャ２０７の２つの内面には位置決め面（位置決め面２０５ａ、位置決め面２０６ａ、及び位置決め面２０７ａ）が配設されており、ストップリング２０５、位置決め支持体２０６及びロックワッシャ２０７がスリーブ２０１に対して相対的に静止することができ、すなわち、ストップリング２０５、位置決め支持体２０６及びロックワッシャ２０７がシリンダ２０１２の周囲を回転せず、シリンダ２０１２の軸線方向に沿って動かないようになっている。
【００３６】
弾性体２０２、凹所付ワッシャ２０３、可動支持体２０４、ストップリング２０５、位置決め支持体２０６及びロックワッシャ２０７は、上記の条件を満たすように、他の方法でスリーブ２０１のシリンダ２０１２の周囲に配設することもできることに留意されたい。例えば、各部品には１つの位置決め面が配設され、あるいは各部品には３つ、４つ、又は他の数の位置決め面が配設される。あるいはストップリング２０５、位置決め支持体２０６及びロックワッシャ２０７は、シリンダ２０１２に固定的に溶接される。部品の配置は、本発明の実施形態で提供される方法に限定されない。配置は、実際の条件によって柔軟にすることができる。
【００３７】
弾性体２０２は、所定の圧力を加えるように初期圧縮されている。
【００３８】
具体的には、初期状態とは弾性体２０２が回転軸にあらかじめ組み付けられている状態であり、弾性体２０２は、ばね又は弾力を加える他の構造とすることができる。
【００３９】
可動支持体２０４に接触する凹所付ワッシャ２０３の端面には、多数の凹所２０３１が配設されている。
【００４０】
凹所付ワッシャ２０３の凹所２０３１は分布することができ、円状に分布することができる。凹所２０３１は、所定の直径上に円状且つ均等に分布することができ、又は均等に分布しないことができる。直径は、凹所付ワッシャ２０３のサイズ及び実際の用途に依存する。直径はここでは限定しない。凹所付ワッシャ２０３は、中央に円状孔を有する円形、四角形、又は菱形の薄いスライスとすることができる。凹所付ワッシャ２０３をシリンダ２０１２の周囲に配設することができ、凹所付ワッシャ２０３がシリンダ２０１２の軸線方向に沿って前後に動くことができるが、シリンダ２０１２の周囲を回転しないように、円状孔の直径はシリンダ２０１２の直径よりわずかに大きくなっている。本発明の実施形態では、凹所付ワッシャ２０３は、好ましくは中央に円状孔を有する円状スライスである。
【００４１】
したがって、凹所付ワッシャ２０３に接触する可動支持体２０４の端面には、多数の突起２０４１が、凹所２０３１と嵌合するように配設されている。
【００４２】
特に、可動支持体２０４がシリンダ１０１２の周囲を回転するとき、突起２０４１は凹所２０３１内へ、又は凹所２０３１から外へと回転することができる。突起２０４１、凹所２０３１、及び弾性体２０２の弾力が協調することによって、弾性体２０２及び凹所付ワッシャ２０３は、シリンダ２０１２の軸線方向に沿って前後に動くことができる。突起２０４１の数及び分布は、凹所２０３１の数及び分布に依存することができる。一般に、突起２０４１の数は凹所２０３１の数と同じ又はそれより少ない。例えば、２つの隣接する凹所２０３１の間の角度がそれぞれ３０度である１２個の凹所２０３１が所定の直径上に円状且つ均等に分布されているとき、２つの隣接する突起２０４１の間の角度がそれぞれ３０度である１２の突起２０４１をそれに従って設計することができ、又は２つの隣接する突起２０４１の間のそれぞれの角度が９０度である４つの突起２０４１を設計することができる。凹所付ワッシャ２０３の凹所２０３１が所定の直径上に円状且つ均等に分布されていない場合、突起２０４１の数は１つのみとすることができる。
【００４３】
本発明の実施形態では、突起２０４１は当初は凹所２０３１内へと回転されている。弾性体２０２による弾力と協調しながら、可動支持体２０４の突起２０４１が凹所付ワッシャ２０３の凹所２０３１に対して回転されるとき、突起２０４１は凹所２０３１内へと回転され、凹所２０３１から外へと一定に回転される。すなわち、突起２０４１及び凹所２０３１は一定に噛み合い、離れ、そのような変化によって触感が生成される。可動支持体２０４が凹所付ワッシャ２０３に対して移動する角度（突起２０４１が凹所２０３１から外へと移動し、再び凹所２０３１内へと移動するプロセス）は、所定の直径の円形上の凹所２０３１の数及び配置を変更することによって、それぞれ調整することができる。例えば、２つの隣接する凹所２０３１の間の角度がそれぞれ３０度である場合、可動支持体２０４が凹所付ワッシャ２０３に対して移動する角度はそれぞれ３０度である。可動支持体２０４が凹所付ワッシャ２０３に対して移動する角度はそれぞれ動作範囲角度ということができる。凹所付ワッシャ２０３の凹所２０３１の数及び分布を変更することによって、回転軸の動作範囲角度を調整することができる。さらに、可動支持体２０４の突起２０４１が凹所付ワッシャ２０３の凹所２０３１から外へと完全に移動することができるようにするトルクは、回転軸の最大トルクである。最大トルクは、弾性体２０２の弾性係数及び突起２０４１及び凹所２０３１のサイズを変更することによって制御することができる。突起２０４１が凹所２０３１内へ、及び凹所２０３１から外へと移動することを助けるために、凹所２０３１の深さは一般に大きくなく、突起２０４１の直径は凹所２０３１の深さより大きい。
【００４４】
可動支持体２０４は、中央に円状孔を有する円形、四角形、又は菱形の薄いスライスとすることができ、可動支持体２０４をシリンダ２０１２の周囲に配設することができ、シリンダ２０１２の周囲を回転することができるように、円状孔の直径はシリンダ２０１２の直径より大きい。本発明の実施形態では、可動支持体２０４は、中央に円状孔を有する円状スライスである。さらに、本発明の実施形態によって提供される回転軸が他のデバイスに適用されるとき、他のデバイスとの接続を助けるために、少なくとも１つの位置決め穴２０４２を可動支持体２０４に配設することができる。図３及び図４に示すように、一対の位置決め穴２０４２が可動支持体２０４の２つの側面に配設される。
【００４５】
ストップリング２０５には止め溝２０５１が配設され、ストップリング２０５に接触する可動支持体２０４の端面には位置決めロッド２０４２が配設されている。
【００４６】
可動支持体２０４の位置決めロッド２０４２がストップリング２０５の止め溝２０５１の縁部に接触するとき、可動支持体２０４はそれまでの移動方向に動くことができなくなる。そのためストップリング２０５の止め溝２０５１は、可動支持体２０４の位置決めロッド２０４２の移動を所定の角度範囲に制限する。すなわち、ストップリング２０５の止め溝２０５１の角度によって、可動支持体２０４の回転角度範囲が決まる。例えば、ストップリング２０５の止め溝２０５１の角度が２７０度である場合、可動支持体２０４の回転角度範囲は０〜２７０度である。
【００４７】
ストップリング２０５が配設されていない場合であっても、本発明を実施することができるが、その場合、可動支持体２０４は時計方向又は反時計方向の任意の角度だけ回転することができることに留意されたい。貫通孔２０１２ａがシリンダ２０１２の中心に配設され、ワイヤが貫通孔２０１２ａに通され、ワイヤが蝶番になる。
【００４８】
少なくとも１つの位置決め穴２０６１が位置決め支持体２０６に配設される。回転軸が別のデバイスに適用されるとき、位置決め支持体２０６の位置決め穴２０６１は、回転軸全体を他のデバイスに締結することができる。
【００４９】
回転軸の締結は位置決め穴２０６１の配置に限定されるものではなく、従来技術の他の方法、例えば、位置決めボルトの使用又は締り嵌めなどで実施することもできることに留意されたい。設計は、実際の条件によって柔軟にすることができる。さらに、位置決め支持体２０６が配設されていない場合であっても、本発明は実施することができる。この場合、回転軸が別のデバイスに適用されるとき、回転軸は軸の他の部品、例えば、スリーブ２０１のリップ２０１１に配設された位置決め穴を通して締結される。
【００５０】
ロックワッシャ２０７は弾性体２０２、凹所付ワッシャ２０３、可動支持体２０４、ストップリング２０５、及び位置決め支持体２０６をスリーブ２０１のシリンダ２０１２の周囲で圧縮し、配設し、初期圧力を加えるように弾性体２０２を初期状態において圧縮することができる。
【００５１】
ロックワッシャ２０７が配設されていない場合であっても、本発明は従来技術の様々な方法で実施することができることに留意されたい。例えば、弾性体２０２、凹所付ワッシャ２０３、可動支持体２０４、ストップリング２０５、及び位置決め支持体２０６をスリーブ２０１のシリンダ２０１２の周囲で圧縮することができ、シリンダ２０１２の端部を外向きに回転し、位置決め支持体２０６に固定する。又は、弾性体２０２、凹所付ワッシャ２０３、可動支持体２０４、ストップリング２０５、及び位置決め支持体２０６をスリーブ２０１のシリンダ２０１２の周囲で圧縮した後、ストップリング２０５及び位置決め支持体２０６をシリンダ２０１２に溶接する。
【００５２】
本発明の本発明の実施形態によって提供される回転軸の動作原理は以下の通りである。
初期状態では、可動支持体２０４の突起２０４１は、凹所付ワッシャ２０３の凹所２０３１内へと回転されており、弾性体２０２は初期圧力を加えるように圧縮されている。可動支持体２０４が回転すると、可動支持体２０４の突起２０４１は、凹所付ワッシャの凹所２０３１から外へと回転される。この場合、凹所付ワッシャ２０３は可動支持体２０４の突起２０４１によって押圧され、弾性体２０２を圧縮するように弾性体２０２に向かって移動する。弾性体２０２はより大きな力によって圧縮され、弾力は大きくなる。可動支持体２０４が再び回転すると、可動支持体２０４の突起２０４１は次の凹所２０３１へと移動し、凹所付ワッシャ２０３は弾性体２０２の弾力を受けて弾性体２０２から離れる。したがって、弾性体２０２はより小さい力で圧縮され、弾力は小さくなる。可動支持体２０４の回転中、突起２０４１が凹所２０３１の外へと移動し、次の凹所２０３１内へと移動すると、凹所付ワッシャ２０３はシリンダ２０１２の軸線方向に沿って前後に移動し、弾性体２０２の圧力はそれに従って大きくなり、また小さくなる。このような変化によって触感が生成される。可動支持体２０４が回転して位置決めロッド２０４２がストップリング２０５の止め溝２０５１の縁部に接触すると、可動支持体２０４の回転は停止し、最大回転角度が達成される。
【００５３】
回転軸の材料は限定されず、材料は金属又はプラスチックとすることができる。回転軸は、金属プレス加工又は粉末冶金によって形成することができる。回転軸は、ＵＳＢフラッシュディスク、データカード、及び携帯電話などのデジタル製品に適用可能である。
【００５４】
本発明の実施形態によって提供される回転軸は、スリーブ、弾性体、凹所付ワッシャ、及び可動支持体を含む部品を使用して実施される。これは単純な構造、小型サイズ、低コスト、及び高い信頼性という特徴を有する。回転軸の回転角度をそれぞれ実現するように、凹所、突起、及び弾性体の協調によって触感が生成される。さらに、ストップリングの止め溝の角度を設定することによって、回転軸に任意の回転角度範囲を実現することができる。さらに、弾性体の長さ及び弾性係数を調整することによって、又は凹所と突起の係合の深さを調節することによって、必要な最大トルクを得ることができる。
【００５５】
以下では、回転軸がデータカードに適用される例示的な実施形態を使用して、本発明をさらに説明する。
【００５６】
第３の実施形態
図６から図１０は、本発明の第３の実施形態によって提供されるデータカードを示す。データカードは、データカード回転ＵＳＢヘッド３０及びデータカード本体４０を含む。
【００５７】
回転ＵＳＢヘッド３０は、ＵＳＢコネクタ３０１、回転軸３０２、接続ワイヤ３０３、ＵＳＢ上側支持体３０４、及びＵＳＢ下側支持体３０５を含む。回転軸３０２は、スリーブ２０１、弾性体２０２、凹所付ワッシャ２０３、可動支持体２０４、ストップリング２０５、位置決め支持体２０６、及びロックワッシャ２０７を含む。回転軸３０２の部品の構造及び機能は第２の実施形態と同様であり、ここでは繰り返さない。データカード本体４０は、プリント回路基板（ＰＣＢ）４０１、データカード上側シェル４０２、及びデータカード下側シェル４０３を含む。
【００５８】
回転軸３０２の位置決め支持体２０６は、位置決め支持体２０６がデータカード本体４０に締結されるように、データカード上側シェル４０２に固定されている。
【００５９】
特に、位置決め支持体２０６をデータカード上側シェル４０２に固定するステップは、位置決め支持体２０６をデータカード上側シェル４０２に溶接するステップ、又は位置決め支持体２０６に２つの位置決め穴２０６１を設計し、２つのねじで位置決め支持体２０６をデータカード上側シェル４０２に固定するステップ、又は従来技術で提供される様々な方法で位置決め支持体２０６をデータカード上側シェル４０２に固定するステップを含むことができる。この方法は、限定されない。回転軸３０２に位置決め支持体２０６が配設されていない場合、同様の方法でスリーブ２０１のリップ２０１１をデータカード上側シェル４０２に固定することができる。
【００６０】
回転軸３０２の可動支持体２０４は、可動支持体２０４が回転ＵＳＢヘッド３０に固定されるように、ＵＳＢ下側支持体３０５に固定される。
【００６１】
特に、位置決め支持体２０６をデータカード上側シェル４０２に固定するのと同様の方法を使用して、可動支持体２０４をＵＳＢ下側支持体３０５に固定することができる。方法はここでは詳細に説明しない。
【００６２】
ＵＳＢコネクタ３０１は接続ワイヤ３０３の一方の端部に接続されている。接続ワイヤ３０３の他方の端部はシリンダ２０１２の貫通孔２０１２ａに通され、ＰＣＢ４０１に接続される。
【００６３】
特に、接続ワイヤ３０３は、溶接又はクランプによってＵＳＢコネクタ３０１及びＰＣＢ４０１に接続することができる。接続方式は限定されない。
【００６４】
ＵＳＢコネクタ３０１と回転軸３０２との伝導は導体を通して実施され、回転軸３０２とＰＣＢ４０１との伝導は別の導体を通して達成される。
【００６５】
特に、回転軸３０２を接地するように、金属ばねなどの導体を使用して、回転軸３０２とＵＳＢコネクタ３０１との伝導及び回転軸３０２とＰＣＢ４０１との伝導を実施することができる。
【００６６】
ＵＳＢコネクタ３０１は、ＵＳＢ上側支持体３０４とＵＳＢ下側支持体３０５との間に置かれる。ＵＳＢ上側支持体３０４及びＵＳＢ下側支持体３０５は、ＵＳＢコネクタ３０１を保護し、固定するように、互いに締結される。
【００６７】
本発明の実施形態によって提供されるデータカードの動作原理は、以下の通りである。回転ＵＳＢヘッド３０が回転するとき、回転ＵＳＢヘッド３０がデータカード本体４０に対して回転するように、回転軸３０２の可動支持体２０４が凹所付ワッシャ２０３に対して回転する。回転軸３０２によって触感、動作範囲角度及び最大回転角度が提供されて、回転ＵＳＢヘッド３０がデータカード本体４０に対して回転する。
【００６８】
スリーブ、弾性体、凹所付ワッシャ、及び可動支持体などの部品を含む回転軸を使用して、本発明の実施形態によって提供されるデータカードは任意の角度だけ回転することができ、単純な構造、小型サイズ、低コスト、及び高い信頼性という特徴を有することができる。
【００６９】
以下では、回転軸がＵＳＢコネクタアダプタに適用される例示的な実施形態を使用して、本発明をさらに説明する。
【００７０】
第４の実施形態
図１１から図１５は、本発明の第４の実施形態によって提供されるＵＳＢコネクタアダプタを示す。ＵＳＢコネクタアダプタは、アダプタヘッドＵＳＢ  Ａ部５０及びアダプタヘッドＵＳＢ  Ｂ部６０を含む。
【００７１】
アダプタヘッドＵＳＢ  Ａ部５０は、ＵＳＢ  Ａコネクタ５０１、ＵＳＢ  Ａ上側支持体５０２、ＵＳＢ  Ａ下側支持体５０３、回転軸５０４、及び接続ワイヤ５０５を含む。回転軸５０４は、スリーブ２０１、弾性体２０２、凹所付ワッシャ２０３、可動支持体２０４、ストップリング２０５、位置決め支持体２０６、及びロックワッシャ２０７を含む。回転軸５０４の部品の構造及び機能は第２の実施形態と同様であり、ここでは繰り返さない。アダプタヘッドＵＳＢ  Ｂ部６０は、ＵＳＢ  Ｂ上側支持体６０１、ＵＳＢ  Ｂ下側支持体６０２及びＵＳＢ  Ｂコネクタ６０３を含む。
【００７２】
回転軸５０４の位置決め支持体２０６は、位置決め支持体２０６がアダプタヘッドＵＳＢ  Ａ部５０に固定されるように、ＵＳＢ  Ａ下側支持体５０３に固定されている。
【００７３】
特に、第３の実施形態における位置決め支持体２０６をデータカード上側シェル４０２に固定するステップと同様の方法を使用して、位置決め支持体２０６をＵＳＢ  Ａ下側支持体５０３に固定することができる。
【００７４】
回転軸５０４の可動支持体２０４は、可動支持体２０４がアダプタヘッドＵＳＢ  Ｂ部６０に固定されるように、ＵＳＢ  Ｂ下側支持体６０２に固定される。
【００７５】
特に、第３の実施形態における可動支持体２０４をＵＳＢ下側支持体３０５に固定ステップと同様の方法を使用して、可動支持体２０４をＵＳＢ  Ｂ下側支持体６０２に固定することができる。
【００７６】
ＵＳＢ  Ａコネクタ５０１は、接続ワイヤ５０５の一方の端部に接続されている。接続ワイヤ５０５の他方の端部はシリンダ２０１２の貫通孔２０１２ａに通され、ＵＳＢ  Ｂコネクタ６０３に接続されている。
【００７７】
特に、接続ワイヤ５０５は、溶接又はクランプによってＵＳＢ  Ａコネクタ５０１及びＵＳＢ  Ｂコネクタ６０３に接続することができる。接続方式は限定されない。
【００７８】
ＵＳＢ  Ａコネクタ５０１は、ＵＳＢ  Ａ上側支持体５０２とＵＳＢ  Ａ下側支持体５０３との間に置かれる。ＵＳＢ  Ａ上側支持体５０２及びＵＳＢ  Ａ下側支持体５０３は、ＵＳＢ  Ａコネクタ５０１を保護し、固定するように、互いに締結される。
【００７９】
ＵＳＢ  Ｂコネクタ６０３は、ＵＳＢ  Ｂ上側支持体６０１とＵＳＢ  Ｂ下側支持体６０２との間に置かれる。ＵＳＢ  Ｂ上側支持体６０１及びＵＳＢ  Ｂ下側支持体６０２は、ＵＳＢ  Ｂコネクタ６０３を保護し、固定するように、互いに締結される。
【００８０】
本発明の実施形態によって提供されるＵＳＢコネクタアダプタの動作原理は、以下の通りである。アダプタヘッドＵＳＢ  Ｂ部６０が回転するとき、アダプタヘッドＵＳＢ  Ｂ部６０がアダプタヘッドＵＳＢ  Ａ部５０に対して回転するように、回転軸５０４の可動支持体２０４が凹所付ワッシャ２０３に対して回転する。回転軸５０４によって触感、動作範囲角度及び最大回転角度が提供されて、アダプタヘッドＵＳＢ  Ｂ部６０がアダプタヘッドＵＳＢ  Ａ部５０に対して回転する。
【００８１】
スリーブ、弾性体、凹所付ワッシャ、及び可動支持体などの部品を含む回転軸を使用して、本発明の実施形態によって提供されるＵＳＢコネクタアダプタは任意の角度だけ回転することができ、単純な構造、小型サイズ、低コスト、及び高い信頼性という特徴を有することができる。
【００８２】
第５の実施形態
図１６は、本発明の第５の実施形態によって提供されるＵＳＢデバイスを示す。ＵＳＢデバイスは、ＵＳＢプラグ７０、回転構造体８０、及びデバイス本体９０を含む。
【００８３】
ＵＳＢプラグ７０は回転構造体８０に固定的に接続されている。回転構造体８０は回転ユニット８０１を含む。回転構造体８０及びデバイス本体９０は、回転ユニット８０１を介して接続されている。回転構造体８０は、回転ユニット８０１を通してデバイス本体９０の側で回転する。
【００８４】
回転ユニット８０１は、本発明の第１及び第２の実施形態の回転軸と同様である。本発明の実施形態のＵＳＢデバイスの回転ユニットは、歯車駆動式又はばね駆動式回転ユニットとすることができることが理解されよう。本発明の実施形態のＵＳＢデバイスの回転ユニットは限定されない。
【００８５】
デバイス本体９０には、保持溝９０１が配設されている。ＵＳＢプラグ７０及び回転構造体８０は、デバイス本体９０と一体化するように回転させて保持溝９０１に保持することができる。
【００８６】
スリーブ、弾性体、凹所付ワッシャ、及び可動支持体などの部品を含む回転軸を使用して、本発明の実施形態によって提供されるＵＳＢデバイスは任意の角度だけ回転することができ、単純な構造、小型サイズ、低コスト、及び高い信頼性という特徴を有することができる。
【００８７】
本発明の実施形態は、ソフトウエアを通して実施することができる。ソフトウエアプログラムは、ハードディスク、キャッシュ又はコンパクトディスクなどの読み取り可能記憶媒体に保存することができる。
【００８８】
以上、本発明をいくつかの好ましい実施形態を通して説明したが、本発明はそのような実施形態に限定されない。当業者であれば、本発明の趣旨及び範囲から逸脱することなく、様々な修正及び変更を行うことができることが明らかであろう。本発明は、そのような修正及び変更を、それらが特許請求の範囲又はその均等物によって定義される保護の範囲に含まれることを条件に含むものである。
【符号の説明】
【００８９】
１０１  スリーブ
１０１１  リップ
１０１２  シリンダ
１０１２ａ  貫通孔
１０１２ｂ  位置決め面
１０２  弾性体
１０３  凹所付ワッシャ
１０３ａ  位置決め面
１０３１  凹所
１０４  可動支持体
１０４１  突起
１０４２  位置決め穴
１０４３  位置決めロッド
１０５  ストップリング
１０５ａ  位置決め面
１０５１  止め溝
１０６  位置決め支持体
１０６１  位置決め穴
１０７  ロックワッシャ
１０７ａ  位置決め面
２０１  スリーブ
２０１１  リップ
２０１２  シリンダ
２０１２ａ  貫通孔
２０１２ｂ  位置決め面
２０２  弾性体
２０３  凹所付ワッシャ
２０３ａ  位置決め面
２０３１  凹所
２０４  可動支持体
２０４１  突起
２０４２  位置決め穴
２０５  ストップリング
２０５ａ  位置決め面
２０５１  止め溝
２０６  位置決め支持体
２０６ａ  位置決め面
２０６１  位置決め穴
２０７  ロックワッシャ
２０７ａ  位置決め面
３０  回転ＵＳＢヘッド
３０１  ＵＳＢコネクタ
３０２  回転軸
３０３  接続ワイヤ
３０４  ＵＳＢ上側支持体
３０５  ＵＳＢ下側支持体
４０  データカード本体
４０１  プリント回路基板
４０２  データカード上側シェル
４０３  データカード下側シェル
５０  アダプタヘッドＵＳＢ  Ａ部
５０１  ＵＳＢ  Ａコネクタ
５０２  ＵＳＢ  Ａ上側支持体
５０３  ＵＳＢ  Ａ下側支持体
５０４  回転軸
５０５  接続ワイヤ
６０  アダプタヘッドＵＳＢ  Ｂ部
６０１  ＵＳＢ  Ｂ上側支持体
６０２  ＵＳＢ  Ｂ下側支持体
６０３  ＵＳＢ  Ｂコネクタ
７０  ＵＳＢプラグ
８０  回転構造体
８０１  回転ユニット
９０  デバイス本体
９０１  保持溝
【図１】
0005532363.tif 000002
【図２】
0005532363.tif 000003
【図３】
0005532363.tif 000004
【図４】
0005532363.tif 000005
【図５】
0005532363.tif 000006
【図６】
0005532363.tif 000007
【図７】
0005532363.tif 000008
【図８】
0005532363.tif 000009
【図９】
0005532363.tif 000010
【図１０】
0005532363.tif 000011
【図１１】
0005532363.tif 000012
【図１２】
0005532363.tif 000013
【図１３】
0005532363.tif 000014
【図１４】
0005532363.tif 000015
【図１５】
0005532363.tif 000016
【図１６】
0005532363.tif 000017